(57)【特許請求の範囲】
【請求項１】
自動血球計数装置の表示装置であって、検体に含まれる血球の含有量を分析する分析部に接続されて、前記検体中の白血球の分布状態と網赤血球の分布状態を分けて表示する白血球分類マトリックス図と網赤血球分類マトリックス図、及び、これら血球分類マトリックス図とは分離させて白血球の全白血球数に対する各分類の血球比率及び各分類の絶対数の数値データを表示する白血球データ表示部と網赤血球の全網赤血球数に対する各分類の血球比率を含む数値データを表示する網赤血球データ表示部、並びに、検体の総合的な状態を示す数値データを表示する総合データ表示部を画面表示する総合表示状態と、この総合表示画面上の前記白血球分類マトリックス図または前記網赤血球分類マトリックス図の詳細を拡大して画面表示するマトリックス図表示状態とに切替え可能であり、そのうちマトリックス図表示状態では、表示された白血球分類マトリックス図または網赤血球分類マトリックス図の各分類表示域ごとに異なる色を表示させるとともに、異なる色で表示された各分類表示域には前記白血球データ表示部に表示されている各分類の血球比率及び各分類の絶対数の数値データを付加し、かつ、これら付加された数値データは各分類表示域とは異なる色で表示させるように構成されていることを特徴とする血球分類マトリックス図表示装置。
【請求項２】
前記数値データの表示／非表示を切替え可能とする切替えスイッチを有する請求項１に記載の血球分類マトリックス図表示装置。
【請求項３】
検体に含まれる血球の含有量を分析して表示する自動血球計数装置における表示方法であって、前記検体中の白血球の分布状態と網赤血球の分布状態を分けて表示する白血球分類マトリックス図と網赤血球分類マトリックス図、及び、これら血球分類マトリックス図とは分離させて白血球の全白血球数に対する各分類の血球比率及び各分類の絶対数の数値データを表示する白血球データ表示部と網赤血球の全網赤血球数に対する各分類の血球比率を含む数値データを表示する網赤血球データ表示部、並びに、検体の総合的な状態を示す数値データを表示する総合データ表示部を画面表示する総合表示状態と、この総合表示画面上の前記白血球分類マトリックス図または前記網赤血球分類マトリックス図の詳細を拡大して画面表示するマトリックス図表示状態とに切替え可能であり、そのうちマトリックス図表示状態では、表示された白血球分類マトリックス図または網赤血球分類マトリックス図の各分類表示域ごとに異なる色を表示させるとともに、異なる色で表示された各分類表示域には前記白血球データ表示部に表示されている各分類の血球比率及び各分類の絶対数の数値データを付加し、かつ、これら付加された数値データは各分類表示域とは異なる色で表示することを特徴とする血球分類マトリックス図の表示方法。
【請求項４】
前記数値データを表示する前記各血球分類マトリックス図の表示状態と、数値データを表示しない前記各血球分類マトリックス図の表示状態とを切替え可能とする請求項３に記載の血球分類マトリックス図の表示方法。
【請求項５】
検体に含まれる血球の含有量を分析して表示する自動血球計数装置の表示プログラムを記録した記録媒体であって、前記検体中の白血球の分布状態と網赤血球の分布状態を分けて表示する白血球分類マトリックス図と網赤血球分類マトリックス図、及び、これら血球分類マトリックス図とは分離させて白血球の全白血球数に対する各分類の血球比率及び各分類の絶対数の数値データを表示する白血球データ表示部と網赤血球の全網赤血球数に対する各分類の血球比率を含む数値データを表示する網赤血球データ表示部、並びに、検体の総合的な状態を示す数値データを表示する総合データ表示部を画面表示する総合表示状態と、この総合表示画面上の前記白血球分類マトリックス図または前記網赤血球分類マトリックス図の詳細を拡大して画面表示するマトリックス図表示状態とに切替え可能に表示するマトリックス図表示プログラムと、マトリックス図表示状態では、表示された白血球分類マトリックス図または網赤血球分類マトリックス図の各分類表示域ごとに異なる色を表示させるとともに、異なる色で表示された各分類表示域には前記白血球データ表示部に表示されている各分類の血球比率及び各分類の絶対数の数値データを付加し、かつ、これら付加された数値データは各分類表示域とは異なる色で表示させる数値データ表示プログラムとを有する血球分類マトリックス図表示プログラムを記録したことを特徴とするコンピュータ読み取り可能な記録媒体。
【請求項６】
前記血球分類マトリックス図表示プログラムが数値データを表示する血球分類マトリックス図の表示状態と、数値データを表示しない血球分類マトリックス図の表示状態とを切替え可能とする血球分類マトリックス図表示プログラムを記録した請求項５に記載のコンピュータ読み取り可能な記録媒体。
【発明の詳細な説明】
【０００１】
【発明の属する技術分野】
本発明は血球分類マトリックス図表示装置、血球分類マトリックス図の表示方法および血球分類マトリックス図表示プログラムを記録した記録媒体に関するものである。
【０００２】
【従来の技術】
近年、血液中の赤血球、白血球などを調べる血液検査は医療における必須検査の一つとなっている。これに応じて、検査の省力化のために種々の装置が開発されてきており、その一つとして血球計数装置がある。この血球計数装置は、血球が粒子の一種であることから、電気抵抗方式や光散乱方式の原理を応用して、赤血球、白血球、および血小板の計数に用いられている。
【０００３】
図５は従来から用いられている自動血球計数装置２０の一例を示すものである。この自動血球計数装置２０は検査対象となる血液の検体をラックホルダ２１にセットすることにより、蛍光染色試薬２２によって検体を染色し、フルオート処理によって各検体の血球数を計数することができる。また、検出された検体の血球数は白血球５分類に加えて網赤血球１２項目を含む３８項目の血球の分類に分けて表示部２３に表示される。したがって、表示部２３の表示内容を見ることにより検体に対応する患者の健康状態を診断することが可能となる。
【０００４】
図６は前記表示部２３の表示例を示す図であって、白血球をリンパ級、単球、好中球、好酸球、幼若細胞や、異形リンパ球に分類する白血球分類マトリックス図２３ａと、赤血球を網赤血球、低成熟網赤血球、中成熟網赤血球、高成熟網赤血球に分類する網赤血球分類マトリックス図２３ｂと、検体の総合的な状態を示す数値データを表示する総合データ表示部２３ｃと、白血球（図中に”ＷＢＣ”と表示している）の各分類の血球数データを表示する白血球データ表示部２３ｄと、赤血球（図中に”ＲＢＣ”と表示している）の各分類の血球数データを表示する赤血球データ表示部２３ｅとを有している。
【０００５】
医療関係者は、この血球分類マトリックス図２３ａ, ２３ｂを各データ表示部２３ｃ〜２３ｅと比較することにより各検体に対応する患者の診断を行うことができる。
【０００６】
【発明が解決しようとする課題】
しかしながら、前記自動血球計数装置２０では、表示部２３がモノクロ表示であると共に、血球分類マトリックス図２３ａ, ２３ｂとそのデータ２３ｃ〜２３ｅがそれぞれ別のエリアに表示されているゆえに、表示内容が見にくいという欠点があった。つまり、医療関係者は血球分類マトリックス図２３ａ, ２３ｂによって被検者の総合的な健康状態をある程度判断できる反面、血球分類マトリックス図２３ａ, ２３ｂだけから詳細なデータを理解することが困難であるから、診断の基準となる数値データ２３ｃ〜２３ｅを参照することが必要となる。
【０００７】
それゆえに、医療関係者は、血球分類マトリックス図２３ａ, ２３ｂで分布の状態傾向を見た上で、その具体的なデータは別エリアに表示された数値データ２３ｃ〜２３ｅと照らし合わせて見なければならず、それだけ診断に時間がかかることは避けられなかった。
【０００８】
本発明は上述の点を考慮に入れてなされたものであり、その目的とするところは、自動血球計数装置の血球分類マトリックス図の分布状態の視認性を向上する血球分類マトリックス図表示装置、血球分類マトリックス図の表示方法および血球分類マトリックス図表示プログラムを記録した記録媒体を提供することにある。
【０００９】
【課題を解決するための手段】
上記目的を達成するために、本発明の血球分類マトリックス図表示装置は、自動血球計数装置の表示装置であって、検体に含まれる血球の含有量を分析する分析部に接続されて、前記検体中の白血球の分布状態と網赤血球の分布状態を分けて表示する白血球分類マトリックス図と網赤血球分類マトリックス図、及び、これら血球分類マトリックス図とは分離させて白血球の全白血球数に対する各分類の血球比率及び各分類の絶対数の数値データを表示する白血球データ表示部と網赤血球の全網赤血球数に対する各分類の血球比率を含む数値データを表示する網赤血球データ表示部、並びに、検体の総合的な状態を示す数値データを表示する総合データ表示部を画面表示する総合表示状態と、この総合表示画面上の前記白血球分類マトリックス図または前記網赤血球分類マトリックス図の詳細を拡大して画面表示するマトリックス図表示状態とに切替え可能であり、そのうちマトリックス図表示状態では、表示された白血球分類マトリックス図または網赤血球分類マトリックス図の各分類表示域ごとに異なる色を表示させるとともに、異なる色で表示された各分類表示域には前記白血球データ表示部に表示されている各分類の血球比率及び各分類の絶対数の数値データを付加し、かつ、これら付加された数値データは各分類表示域とは異なる色で表示させるように構成されていることを特徴としている。
【００１０】
したがって、それぞれの血球分類マトリックス図を見るだけで、各分類の血球がどのように分布しているかを一目で確認することができる。すなわち、図示された血球分類マトリックスから検体に対応する被検者の健康状態をある程度判断できると共に、詳細な数値データを同一マトリックス図に表示された数値から判断できるので、この血球分類マトリックス図から容易かつ迅速に正確な判断を行うことができる。
【００１１】
前記血球分類マトリックス図が白血球と網赤血球に分けて表示されるものであり、前記数値データが、白血球または網赤血球の全血球数に対する各分類の血球比率および各分類の血球の絶対数を有しているので、血球を適宜の分類に分けることができ、医療上の診断を行なうときに必要とされる数値データを得ることができると共に、血球分類マトリックス図を必要以上に複雑化することがなく、分布状態の視認性が良くなる。
【００１２】
なお、白血球分類マトリックス図においては、例えばリンパ球数、リンパ球比率、単球数、単球比率、好中球数、好中球比率、好酸球数、好酸球比率、異形リンパ球数、異形リンパ球比率、幼若細胞数、幼若細胞比率、白血球数を表示することにより、診断のために必要十分な情報を得ることができる。また、網赤血球分類マトリックス図においては、例えば、網赤血球数、網赤血球比率、低成熟網赤血球比率、中性塾網赤血球比率、高成熟網赤血球比率、網赤血球内、低赤血球比率、中成熟網赤血球比率、高成熟網赤血球比率、網赤血球内高成熟赤血球比率、赤血球数に加えて、網赤血球数のヘマトクリットによる補正値を表示することにより、診断のために必要十分な情報を得ることができる。
【００１３】
また、前記表示部が血球分類マトリックス図の表示色と数値データの表示色を異ならせて表示するものであるから、数値データと血球分類マトリックスの図示データとを容易に区別することができ、誤認を効果的に防ぐことができる。
【００１４】
前記数値データの表示／非表示を切替え可能とする切替えスイッチを有する場合には、数値データと血球分類マトリックスの図示データとが重なるときにも、血球分類マトリックスの図示データを欠けることなく表示することができる。
【００１５】
前記表示部が血球分類マトリックス図を分類表示域ごとに異なる色で表示するものである場合には、血球分類マトリックスに表示された図示データがどの分類に属するものであるかを一目で認識できるので、分布状態の視認性がさらに向上する。
【００１６】
本発明の血球分類マトリックス図の表示方法は、検体に含まれる血球の含有量を分析して表示する自動血球計数装置における表示方法であって、前記検体中の白血球の分布状態と網赤血球の分布状態を分けて表示する白血球分類マトリックス図と網赤血球分類マトリックス図、及び、これら血球分類マトリックス図とは分離させて白血球の全白血球数に対する各分類の血球比率及び各分類の絶対数の数値データを表示する白血球データ表示部と網赤血球の全網赤血球数に対する各分類の血球比率を含む数値データを表示する網赤血球データ表示部、並びに、検体の総合的な状態を示す数値データを表示する総合データ表示部を画面表示する総合表示状態と、この総合表示画面上の前記白血球分類マトリックス図または前記網赤血球分類マトリックス図の詳細を拡大して画面表示するマトリックス図表示状態とに切替え可能であり、そのうちマトリックス図表示状態では、表示された白血球分類マトリックス図または網赤血球分類マトリックス図の各分類表示域ごとに異なる色を表示させるとともに、異なる色で表示された各分類表示域には前記白血球データ表示部に表示されている各分類の血球比率及び各分類の絶対数の数値データを付加し、かつ、これら付加された数値データは各分類表示域とは異なる色で表示することを特徴としている。
【００１７】
また、本発明の血球分類マトリックス図表示プログラムを記録した記録媒体は、検体に含まれる血球の含有量を分析して表示する自動血球計数装置の表示プログラムを記録した記録媒体であって、前記検体中の白血球の分布状態と網赤血球の分布状態を分けて表示する白血球分類マトリックス図と網赤血球分類マトリックス図、及び、これら血球分類マトリックス図とは分離させて白血球の全白血球数に対する各分類の血球比率及び各分類の絶対数の数値データを表示する白血球データ表示部と網赤血球の全網赤血球数に対する各分類の血球比率を含む数値データを表示する網赤血球データ表示部、並びに、検体の総合的な状態を示す数値データを表示する総合データ表示部を画面表示する総合表示状態と、この総合表示画面上の前記白血球分類マトリックス図または前記網赤血球分類マトリックス図の詳細を拡大して画面表示するマトリックス図表示状態とに切替え可能に表示するマトリックス図表示プログラムと、マトリックス図表示状態では、表示された白血球分類マトリックス図または網赤血球分類マトリックス図の各分類表示域ごとに異なる色を表示させるとともに、異なる色で表示された各分類表示域には前記白血球データ表示部に表示されている各分類の血球比率及び各分類の絶対数の数値データを付加し、かつ、これら付加された数値データは各分類表示域とは異なる色で表示させる数値データ表示プログラムとを有する血球分類マトリックス図表示プログラムを記録したことを特徴としている。
【００１８】
【発明の実施の形態】
図１は本発明の実施例を示す自動血球計数装置１の全体構成を示す図である。本例の自動血球計数装置１は検査対象となる血液の検体Ｔに含まれる血球の含有量を分析する分析装置２と、この分析装置２に例えば信号線Ｃによって接続されている表示部３ａを備えた表示装置（以下、コンピュータという）３とからなっている。
【００１９】
前記分析装置２は複数の検体Ｔをセット可能とするラックホルダ４と、蛍光染色試薬５を設置可能とするトレイとを有し、この蛍光染色試薬５によって検体Ｔを染色して、フルオート処理によって各検体Ｔの血球数を計数する分析部６とを有している。また、７は前記分析部６を制御するコンピュータであり、このコンピュータ７によって、検出された検体Ｔの血球数は白血球５分類に加えて網赤血球１２項目を含む３８項目の血球の分類に分けて表示部８に表示（図６参照）する。９はマニュアル操作で一つの検体Ｔを緊急に分析する場合に用いられる検体採取部である。
【００２０】
前記分析装置２とコンピュータ３は例えばＲＳ−２３２Ｃに準拠するインターフェイスで接続されており、分析装置２で測定された検体Ｔの各種数値データが通信される。そして、前記コンピュータ３は前記数値データを受信して、その表示部３ａに各血球の分布状況を表示する。つまり、コンピュータ３には血球分類マトリックス図表示プログラムＰがＣＤ−ＲＯＭやフロッピーディスクなどの電子媒体を介して導入されており、コンピュータ３内のメモリ３ｍやハードディスク３ｈに血球分類マトリックス図表示プログラムＰが記録される。そして、前記血球分類マトリックス図表示プログラムＰにはマトリックス図表示プログラムＰ1 と、数値データ表示プログラムＰ2 が含まれている。
【００２１】
図２は前記表示部３ａの表示例を示す図であり、前記図６に示した分析装置２の表示例とほぼ同様の内容を日本語（使用者の自国語）に変換して表示する。また、１０は白血球の分布を示す白血球分類マトリックス図、１１は赤血球の分布を示す網赤血球分類マトリックス図、１２は検体Ｔの総合的な状態を示す数値データを表示する総合データ表示部である。
【００２２】
図２において、前記総合データ表示部１２に記載の”ＷＢＣ”は白血球の濃度を示しており、”ＲＢＣ”は赤血球の濃度を示している。また、”ＰＬＴ”は血小板”を示している。
【００２３】
１３は白血球の各分類の血球数データを表示する白血球データ表示部である。白血球の分類は、例えば”ＬＹＭ”と表示されているリンパ球、”ＭＯＮ”と表示されている単球、”ＮＥＵ”と表示されている好中球、”ＥＯＳ”と表わされている好酸球、”ＢＡＳ”と表わされている好塩基球、”ＡＬＹ”と表示されている異形リンパ球、”ＬＩＣ”と表示されている幼若細胞がある。そして、それぞれの分類において、全白血球数”ＷＢＣ”に対する各分類の血球比率”％”と、各分類の血球の絶対数”＃”の数値データがある。
【００２４】
一方、１４は赤血球の各分類の血球数データを表示する網赤血球データ表示部である。そして、網赤血球の分類は、例えば”ＲＥＴ”と表示されている網赤血球、”ＲＥＴＬ”と表示されている低蛍光網赤血球、”ＲＥＴＭ”と表示されている中蛍光網赤血球、”ＲＥＴＨ”と表示されている高蛍光網赤血球、”ＣＲＣ”と表示されている網赤血球の補正値である。そして、それぞれの分類において、”％”を付加されているのは全網赤血球数”ＲＥＴ”に対する比率を示している。
【００２５】
また、網赤血球データ表示部１４内において、網赤血球の分析結果として、例えば、”ＩＭＭ％”と表示されている幼若細胞比率、”ＭＦＩ％”と表示されている平均蛍光率、”ＭＲＶ”と表示されている平均網赤血球容積などの数値データも表示されている。
【００２６】
次に、図３は白血球分類マトリックス図１０の拡大図を示している。すなわち、使用者が例えば図２に示した画面の白血球分類マトリックス図１０の上までカーソルを動かしてマウスをダブルクリックすることにより、図３に示す白血球分類マトリックス図１０の詳細を表示するウィンドウを開くことができる。
【００２７】
図３において、表示される白血球分類マトリックス図１０は、例えば、横軸が容積を表わしており、縦軸が光透過度（すなわち、細胞の染色情報）を表わしている。前記コンピュータ３に導入されたマトリックス図表示プログラムＰ1 は血球分類マトリックス図１０を大きく５分類する。各分類表示域Ｗ1 〜Ｗ5 はそれぞれ好酸球、好中球、単球、リンパ球、幼若細胞に対応しており、各分類表示域Ｗ1 〜Ｗ5 を隔てている実線で示す線分Ｌｗは各分類表示域Ｗ1 〜Ｗ5 を分けるしきい値を表わしている。また、前記リンパ球の各分類表示域Ｗ4 の一部には、異形リンパ球の分類表示域Ｗ4 ’を取り分けるしきい値を表わす仮想線Ｌｗ’も表示している。
【００２８】
前記マトリックス図表示プログラムＰ1 は測定された各血球を血球分類マトリックス図１０上の対応する位置に点ｄｗによって表示するが、その表示色は各分類表示域Ｗ1 〜Ｗ5 毎に異ならせる。すなわち、一目でどの分類の血球がどの程度含まれているかを認識でき、視認性が向上する。
【００２９】
次に、数値データ表示プログラムＰ2 は、白血球分類マトリックス図１０の例えば左上に、白血球数を表わす数値データＤWBC を表示する。そして、各分類表示域Ｗ1 〜Ｗ5 ，Ｗ4 ’には、それぞれ対応する各血球の白血球数ＤWBC に対する血球比率”％”および各分類の血球の絶対数”＃”を表わす数値データＤEOS%，ＤEOS#，ＤNEU%，ＤNEU#，ＤMON%，ＤMON#，ＤLYM%，ＤLYM#，ＤALY%，ＤALY#（以下、これらの数値データは数値データＤW%，ＤW#と表わす）を表示する。
【００３０】
また、前記数値データ表示プログラムＰ2 は数値データＤW%，ＤW#，ＤWBC を表わす数値は各分類表示域Ｗ1 〜Ｗ5 の何れの点ｄｗの表示色とも異ならせている。つまり、たとえ数値データＤW%，ＤW#，ＤWBC に幾らかの点ｄｗが重なって表示されたとしても数値データＤW%，ＤW#，ＤWBC が読めなくならないようにしている。
【００３１】
上述のように白血球分類マトリックス図１０に数値データＤW%，ＤW#，ＤWBC を付加して表示することにより、医療関係者は白血球分類マトリックス図１０のみを見るだけで、検体Ｔに対応する被検者の健康状態の概略を診断できると共に具体的な数値データＤW%，ＤW#，ＤWBC から正確な判断をすることができる。つまり、白血球分類マトリックス図１０の視認性を向上できるので、診断の誤認識を防ぐと共にスピードアップを図ることができる。
【００３２】
Ｂ1 は前記数値データ表示プログラムＰ2 によって数値データＤW%，ＤW#，ＤWBC を表示するか否かを操作するボタンであり、初期設定は例えば数値データＤW%，ＤW#，ＤWBC の表示なしである。本例のようにボタンＢ1 などによって数値データＤW%，ＤW#，ＤWBC の表示の有無を切替えられるようにすることにより、数値データＤW%，ＤW#，ＤWBC が血球の検出を示す点ｄｗに重なってしまうときに見やすい表示を自由に選択できる利点がある。また、Ｂｅは白血球分類マトリックス図１０の表示終了ボタンである。
【００３３】
なお、上述の例では数値データ表示プログラムＰ2 が数値データＤW%，ＤW#，ＤWBC を表わす数値を各血球の検出を示す点ｄｗの表示部分、すなわち分類表示域Ｗ1 〜Ｗ5 内に重ねているが、本発明はこれに限られるものではない。すなわち、引き出し線などによって対応する領域を明らかにして数値データＤW%，ＤW#，ＤWBC を表示してもよい。また、数値データＤW%，ＤW#，ＤWBC を表示する位置が血球の検出を示す点ｄｗに重ならないように、その表示位置を調節するようにしてもよい。
【００３４】
次に、図４は網赤血球分類マトリックス図１１の拡大図を示している。この場合も、使用者が例えば図２に示した画面の網赤血球分類マトリックス図１１の上までカーソルを動かしてマウスをダブルクリックすることにより、図４に示す網赤血球分類マトリックス図１１の詳細を表示するウィンドウを開くことができる。なお、図３，４に示す血球分類マトリックス図１０，１１の詳細を表示する操作方法は上述したものに限られるものではなく、適宜の方法で操作可能であることは言うまでもない。
【００３５】
本例の網赤血球分類マトリックス図１１は、例えば横軸が容積を表わしており、縦軸が蛍光強度を表わしている。そして前記マトリックス図表示プログラムＰ1 は網赤血球分類マトリックス図１１を蛍光強度に応じて大きく４分類する。
【００３６】
すなわち、各分類表示域Ｒ1 〜Ｒ4 はそれぞれ高蛍光網赤血球、中蛍光網赤血球、低蛍光網赤血球、熟成した赤血球に対応しており、各分類表示域Ｒ1 〜Ｒ4 を隔てている実線で示す線分Ｌｒは各分類表示域Ｒ1 〜Ｒ4 を分けるしきい値である。また、マトリックス図表示プログラムＰ1 は測定された各血球を網赤血球分類マトリックス図１１上の対応する位置に各分類表示域Ｒ1 〜Ｒ4 に対応した表示色の点ｄｒによって表示する。つまり、一目でどの分類の赤血球がどの程度含まれているかを認識できる。
【００３７】
次に、数値データ表示プログラムＰ2 は、網赤血球分類マトリックス図１１の例えば左上に、網赤血球数を表わす数値データＤRET%，ＤRET#を表示すると共に、左下に網赤血球の補正値ＤCRC%を表示する。また、成熟した赤血球の数値データＤRBC を分類表示域Ｒ4 に表示する。そして、各分類表示域Ｒ1 〜Ｒ3 にそれぞれ対応する各網赤血球の網赤血球数ＤRET に対する血球比率”％”および各分類の血球の絶対数”＃”を表わす数値データＤRETH% ，ＤRETH# ，ＤRETM% ，ＤRETM# ，ＤRETL% ，ＤRETL# （以下、これらの数値データは数値データＤR%，ＤR#と表わす）を表示する。
【００３８】
また、前記数値データ表示プログラムＰ2 は図３と同様に、数値データＤR%，ＤR#，ＤRET ，ＤCRC ，ＤRBC を表わす数値は各分類表示域Ｒ1 〜Ｒ4 の何れの点ｄｒの表示色とも異ならせて、数値データＤR%，ＤR#，ＤRET ，ＤCRC ，ＤRBC が読めなくなることがないようにしている。
【００３９】
そして、網赤血球分類マトリックス図１１に数値データＤR%，ＤR#，ＤRET ，ＤCRC ，ＤRBC を付加して表示することにより、網赤血球分類マトリックス図１１のみを見るだけで、健康状態の概略を診断できると共に正確な判断をすることができる。つまり、網赤血球分類マトリックス図１１の視認性をも向上することにより、誤認識を防ぐと共に診断のスピードアップを図ることができる。
【００４０】
なお、Ｂ2 は前記数値データ表示プログラムＰ2 によって数値データＤR%，ＤR#，ＤRET ，ＤCRC ，ＤRBC を表示するか否かを操作するボタンであり、Ｂｅは網赤血球分類マトリックス図１１の表示終了ボタンである。また、図４に示す例においても数値データ表示プログラムＰ2 が引き出し線などによって対応する領域を明らかにして数値データＤR%，ＤR#，ＤRET ，ＤCRC ，ＤRBC を表示したり、血球の検出を示す点ｄｒに重ならないように、その表示位置を調節するようにしてもよい。
【００４１】
上述の例では、本発明の血球分類マトリックス図表示装置１が検体Ｔに含まれる血球の含有量を分析する分析装置２と、この分析装置２に接続されたコンピュータ３とからなる例を開示しているが、本発明はこれに限られるものではない。すなわち、自動血球計数装置などの分析装置２に本発明の血球分類マトリックス図表示装置が内蔵されていてもよいことはいうまでもない。
【００４２】
【発明の効果】
以上詳述したように本発明の血球分類マトリックス図表示装置、血球分類マトリックス図の表示方法および血球分類マトリックス図表示プログラムを記録した記録媒体によれば、血球分類マトリックス図を見るだけで、その分布の状況、傾向のみならず、具体的な数値データも読み取ることができ、分類の認識性を向上し、診断のスピードアップが可能となる。
【図面の簡単な説明】
【図１】  本発明の血球分類マトリックス図表示装置を設ける自動血球計数装置の全体構成を示す図である。
【図２】  前記血球分類マトリックス図表示装置による全体的な表示例を示す図である。
【図３】  白血球分類マトリックス図の表示例を示す図である。
【図４】  網赤血球分類マトリックス図の表示例を示す図である。
【図５】  従来の自動血球計数装置の全体構成を示す図である。
【図６】  前記自動血球計数装置による表示例を示す図である。
【符号の説明】
１…自動血球計数装置、３…表示装置、３ａ…表示部、６…分析部、１０…白血球分類マトリックス図、１１…網赤血球分類マトリックス図、Ｂ1 ，Ｂ2 …切替えスイッチ、ＤW%，ＤW#，ＤWBC ，ＤR%，ＤR#，ＤRET ，ＤCRC ，ＤRBC …数値データ、Ｗ1 〜Ｗ5 ，Ｒ1 〜Ｒ5 …分類表示域。
【図１】
0004012339.tif 000002
【図２】
0004012339.tif 000003
【図３】
0004012339.tif 000004
【図４】
0004012339.tif 000005
【図５】
0004012339.tif 000006
【図６】
0004012339.tif 000007